【手続補正書】
【提出日】平成19年12月4日(2007.12.4)
【手続補正１】
【補正対象書類名】明細書
【補正対象項目名】特許請求の範囲
【補正方法】変更
【補正の内容】
【特許請求の範囲】
【請求項１】  繊維が縺れ合っている異なる２つの外側面を持つ少なくとも１５０ｇ／ｍ2 の比面積重量を持つスキンケア用親水性コットンパフにおいて、第一の外側面が互いに１〜８ｍｍである間隔Ｓ1 を置いた少なくとも０．２５ｍｍの溝深さの窪んだ細溝を有しそしてパフの抗張力がこの明細書に記載した試験方法で測定して、運動方向において少なくとも２０Ｎでそしてそれに対して横軸の方向において少なくとも１６Ｎであることを特徴とする、上記スキンケア用親水性コットンパフ。
【請求項２】  繊維が縺れ合っている異なる２つの外側面を持つ少なくとも１５０ｇ／ｍ2 の比面積重量を持つスキンケア用親水性コットンパフにおいて、第一の外側面が互いに１〜８ｍｍである間隔Ｓ1 を置いた少なくとも０．２５ｍｍの溝深さの窪んだ細溝を有しそしてパフ繊維の少なくとも５０％が互いに縺れ合っていることを特徴とする、上記スキンケア用親水性コットンパフ。
【請求項３】  第一の外側面の細溝の間隔Ｓ1 が１．２〜５．５ｍｍ、好ましくは２〜４ｍｍである、請求項１または２に記載のパフ。
【請求項４】  第一の外側の溝深さが少なくとも０．４０ｍｍ、好ましくは少なくとも０．５０ｍｍである請求項１〜３のいずれか一つに記載のパフ。
【請求項５】  パフの抗張力がこの明細書に記載した試験方法で測定して、運動方向において少なくとも２５Ｎでそしてそれに対して横軸の方向において少なくとも２０Ｎである、請求項１〜４のいずれか一つに記載のパフ。
【請求項６】  第二の外側面が互いに０．４〜１．２ｍｍの間隔Ｓ2 を置いている細溝を有する、請求項１〜５のいずれか一つに記載のパフ。
【請求項７】  パフ繊維の少なくとも６０％が縺れ合っている請求項１〜６のいずれか一つに記載のパフ。
【請求項８】  第一の外側面の細溝がパフ表面で連続線または不連続線、直線、破線または曲線で構成されている、請求項１〜７のいずれか一つに記載のパフ。
【請求項９】  細溝が１００％のコットン繊維よりなる、請求項１〜８のいずれか一つに記載のパフ。
【請求項１０】  縺れ合っている繊維が水力で縺れ合っている請求項１〜９のいずれか一つに記載のパフ。
【請求項１１】  パフ外側面の一方が更に上記の細溝と異なった模様を有する、請求項１〜１０のいずれか一つに記載のパフ。
【請求項１２】  第一の外側面が化粧品、メーキャップ剤およびメーキャップリムーバーの様な水性製品のための吸収遅延剤を含む、請求項１〜１１のいずれか一つに記載のパフ。
【請求項１３】  水性製品遅延剤が柔軟化剤、ワックスまたはそれらを繊維に固定する成分をベースとする組成物である、請求項１２に記載のパフ。
【請求項１４】  水性製品遅延剤が、鉱物ベースの、植物ベースのまたは動物ベースの天然ワックスの乳液である、好ましくは蜂蜜ワックス乳液である、請求項１３に記載のパフ。
【請求項１５】  請求項１〜１０のいずれか一つに記載の親水性コットンパフを製造する方法において、コットンウエブを準備し、当該ウエブを、軸が１〜５．５ｍｍの間隔を置いて互いに複数のウオータージェットを用いてウエブの第一の外側面を少なくとも１．４×１０-3ｋｗ時／ｍ2 の使用エネルギーで水力で縺れさせそしてパフのもう一つの外側面を、軸が０．４〜１．２ｍｍの間隔で互いに離れた複数のウオータージェットを用いて少なくとも０．９×１０-3ｋｗ時／ｍ2 の使用エネルギーで水力で縺れさせることを特徴とする、上記方法。
【請求項１６】  請求項１〜９のいずれか一つに記載のパフを製造する方法において、ラップまたは漂白されたラップに一致する漂白された繊維をベースとする少なくとも２つの親水性コットンウエブを準備すること、第一のウエブを互いに１〜８ｍｍ離れそして少なくとも０．２５ｍｍの深さの溝を第一のラップ中に印付けし、印付け圧力がこの明細書に記載した試験方法で測定して、運動方向に少なくとも２０Ｎでそしてそれに対して横軸の方向において少なくとも１６Ｎの強度をパフに付与するのに十分であり、第二のラップを印付けまたは強化しそして二つのラップを組合せて、二つの印付けされおよび／または強化された外側面がパフの外側に位置することを特徴とする、上記方法。
【請求項１７】  請求項１５または１６に記載の方法の各段階を実施しそして水性製品の吸収を遅らせる剤を第一のパフ外側面に例えば噴霧によって適用する、請求項１１〜１４の何れか一つに記載の方法。
【請求項１８】  スキンケアにおいて、特にメイクアップ除去のために請求項１〜１４のいずれか一つに記載のパフを使用する方法において、第一の外側面を該パフにメイキャプリムーバーまたはクレンジングローションを付けることによって肌を浄化するために使用し、その際に溝が初めに物質の保存手段として作用しそして次に一度の通過で汚れを集め、第二の外側面が過剰の物質および汚れを吸収するのに役だつことを特徴とする、上記方法。
【手続補正２】
【補正対象書類名】明細書
【補正対象項目名】００３２
【補正方法】変更
【補正の内容】
【００３２】
第二の方法は、ラップまたは漂白されたラップに一致する漂白された繊維をベースとする少なくとも２つの親水性コットンラップを準備すること、第一のラップを互いに１〜８ｍｍ離れそして少なくとも０．２５ｍｍの深さの溝を第一のラップ中に印付けし、印付け圧力が後記の試験方法で測定して、運動方向に少なくとも２０Ｎでそしてそれに対して横軸の方向において少なくとも１６Ｎの強度をパフに付与するのに十分であり、第二のラップを印付けまたは強化しそして二つのラップを組合せて、二つの印付けされおよび／または強化された外側面がパフの外側に位置することを特徴とする。
【手続補正３】
【補正対象書類名】明細書
【補正対象項目名】００４０
【補正方法】変更
【補正の内容】
【００４０】
第一の外側面２、２’の表面では溝は図１、４Ａおよび４Ｂにおける様に連続するラインで構成されていてもまたは図４Ｃにおける様に線が孤立していても、図１、４Ａおよび４Ｂにおける様に直線でも、図４Ａの様に線が曲線を描いていてもまたは図４Ｂの様に数学的不連続線であってもよい。溝がどの様に設計されそして割り当てられているかまたはそれらがどんな幾何学的形状であるかは重要ではなく、溝が第一のパフ外側面では沢山のピークと谷を含んでいることが重要なのである。
【手続補正４】
【補正対象書類名】明細書
【補正対象項目名】００７５
【補正方法】変更
【補正の内容】
【００７５】
試験の間に、短い突出物を降ろし、次いでパフ表面で連続して５回動かす。その時に繊維がパフ表面から離れ、突出物上に集まる。５回の通過の後に、短い突出物によって保有される繊維をピンセットを用いて回収しそしてこの回収した繊維を観察用ガラスの上に置く。この方法をＡ、Ｂ、Ｃ、Ｄ、ＥおよびＦの各々５個のパフについて繰り返す。５個のパフからこうして記録される繊維をｍｇの１／１０の均衡感(balance sensitive) で目方を量る。Ａ、Ｂ、Ｃ、Ｄ、ＥおよびＦのパフの各種類を試験する。
【手続補正５】
【補正対象書類名】明細書
【補正対象項目名】０１１９
【補正方法】変更
【補正の内容】
【０１１９】
要するに第一の外側面が未処理である場合、本発明のパフを用いて肌をクレンジングした時５０％の人が改善に気づいたのである。第一の外側面が処理されている本発明のパフに関しては、改善に気づいた人の数は９２％である。
【手続補正６】
【補正対象書類名】明細書
【補正対象項目名】０１４５
【補正方法】変更
【補正の内容】
【０１４５】
第一のラップは、例えばシリンダーの軸に対して直角をなす互いに平行な複数の突出ベルトを有するシリンダーを用いてマーキングすることができ、そして生成物表面に平行な溝が形成される。これらの溝は１〜８ｍｍ、好ましくは２〜４ｍｍだけ互いに離れている。溝の深さに相応するベルトの高さは少なくとも０．２５ｍｍ、好ましくは少なくとも０．５０ｍｍである。
【手続補正７】
【補正対象書類名】明細書
【補正対象項目名】０１４６
【補正方法】変更
【補正の内容】
【０１４６】
第二の外側面は、例えばシリンダーの軸に対して直角をなしかつ互いに０．８〜１．２ｍｍだけ離れた互いに平行な突出した複数のベルトを有するシリンダーを使用してマーキングすることができる。ベルトの高さは０．２５ｍｍより小さい。
【手続補正８】
【補正対象書類名】明細書
【補正対象項目名】０１５３
【補正方法】変更
【補正の内容】
【０１５３】
この表面処理はあたゆる慣用の方法、例えばノズルを通しての噴霧、シリンダーを用いての被覆、輪転グラビア印刷等で実施される。